【事件の表示】
　特許第３２３４４７４号「軒樋接続構造」の請求項１ないし３に係る特許に対する特許異議の申立てについて、次のとおり決定する。
【結　論】
　訂正を認める。
　特許第３２３４４７４号の請求項１に係る特許を維持する。
【理　由】
第一　手続の経緯
　本件特許第３２３４４７４号(請求項の数３)の請求項１ないし３に係る発明についての出願は、平成７年１１月２７日に出願され(特願平７−３０７１６９号)、平成１３年９月２１日に特許権の設定登録がなされ、その後、東洋化学株式会社から請求項１について、梅原真理子から全請求項について、それぞれ異議の申立てがなされ、当審から取消しの理由が通知され、その指定期間内である平成１５年１月１４日に訂正請求がなされるとともに意見書が提出されたものである。
　　　　　                
　　　　　　　　　　　　
第二　訂正の適否
１　訂正の内容
　訂正事項ａ：請求項１を「一対の軒樋の長手方向の端部同士を対向させ、軒樋の端部の外面側に外継手を被嵌すると共に端部間の内面に沿って内押さえを嵌合して外継手と内押さえとで軒樋を挟持して軒樋を接続する軒樋接続構造において、
　軒樋の後壁の上端の後部耳部を内方に突出する内耳構造とすると共に後部耳部の下面の後部側に上方に凹没する凹部を設け、上記凹部に向けて徐々に上に行く傾斜面を設け、
　さらに後押さえ片の上端に前方に向けて水平方向に突出し弾性変形する突縁を設けた内押さえを用いて、前記後部耳部の下面の傾斜面に該突縁を圧接するようにして凹部に係合させて成ることを特徴とする軒樋接続構造。」と訂正する。
　訂正事項ｂ：請求項２および３を削除する。
　訂正事項ｃ：段落【００１４】を、「また本発明の請求項１記載の発明にあっては、軒樋の後部耳部の下面に下面の前端側から上記凹部に向けて徐々に上に行く傾斜面を設けているので、傾斜面にてガイドして後押さえ片の上端をスムーズに係合できるものである。また、内押さえの後押さえ片の上端に前方に向けて水平方向に突出する突縁を設けているので、突縁の先端を傾斜面に圧接するように後押さえ片の上端を凹部に係合することで、軒樋の後壁の高さに寸法ばらつきがあっても突縁の弾性変形で吸収することができて内押さえを所定の状態で取り付けることができるものである。」と訂正する。
　訂正事項ｄ：【図面の簡単な説明】中の【符号の説明】を、
「１　軒樋
　５　外継手
　１３　後部耳部
　２８　内押さえ
　３１　後押さえ片
　３５　凹部
　３６　傾斜面
　３７　突縁」と訂正する。
　　　　　　
２　訂正の目的の適否、新規事項の有無、拡張・変更の存否
　上記訂正は、特許請求の範囲の減縮および明りょうでない記載の釈明を目的とし、特許明細書又は図面に記載した事項の範囲内においてするものであり、新規事項の追加に該当せず、実質上特許請求の範囲を拡張し、変更するものではない。
　　　　
３　むすび
　よって、上記訂正は、特許法第１２０条の４第２項及び同条第３項で準用する特許法第１２６条第２項及び第３項の規定に適合するので、当該訂正を認める。
                　
　　　　　　　　　
第三　異議申立ての概要
１　異議申立人梅原真理子は、下記の甲第１〜３号証（以下、「梅原の甲第１〜３号証」という）を提出し、本件請求項１ないし３に係る特許は、特許法第２９条第２項の規定に違反してなされたものであり、また、本件請求項３に係る特許は、特許法第３６条第６項第２号の規定に違反してなされたものであるから、それぞれ取り消されるべき旨主張している。
　甲第１号証：特開平３−１５１４５０号公報
　甲第２号証：実願平５−２８６２５号(実開平６−８２２３７号)のＣＤ−ＲＯＭ
　甲第３号証：特開平４−２６１９５２号公報
   　　　　　　　　　
２　異議申立人東洋化学株式会社は、下記の甲第１〜４号証（以下、「東洋化学の甲第１〜４号証」という）を提出し、本件請求項１に係る特許は、甲第１号証により特許法第２９条の２の規定に違反してなされたものであり、また、甲第２〜４号証により同法第２９条第１項第３号の規定に違反してなされたものであるから、取り消されるべき旨主張している。
　甲第１号証：特願平６−２４７２８２号の願書に最初に添付した明細書及び図面(特開平８−８６０６０号公報)
　甲第２号証：東洋化学株式会社のパンフレット「Ｌu Ｃhic (ル・シック)」、Ｍ−１２１８ Ｈ７.２ ＭＡＣＢＹ、１７，２０頁
　甲第３号証：株式会社マクビーカタガイ代表者　豊住定治　作成の印刷証明書
　甲第４号証：相武興業株式会社代表者　磯崎嘉徳　作成のカタログ頒布証明書
　　　　　　　　　　　　　　　　　　　
　　　　　　　　　　　　　　　
第四　本件発明
　上記訂正が認められるから、訂正後の本件請求項１に係る発明は、訂正明細書の特許請求の範囲(請求項の数１)の請求項１に記載された事項により特定される次のとおりのものである。
「【請求項１】一対の軒樋の長手方向の端部同士を対向させ、軒樋の端部の外面側に外継手を被嵌すると共に端部間の内面に沿って内押さえを嵌合して外継手と内押さえとで軒樋を挟持して軒樋を接続する軒樋接続構造において、
　軒樋の後壁の上端の後部耳部を内方に突出する内耳構造とすると共に後部耳部の下面の後部側に上方に凹没する凹部を設け、上記凹部に向けて徐々に上に行く傾斜面を設け、
　さらに後押さえ片の上端に前方に向けて水平方向に突出し弾性変形する突縁を設けた内押さえを用いて、前記後部耳部の下面の傾斜面に該突縁を圧接するようにして凹部に係合させて成ることを特徴とする軒樋接続構造。」
（以下、「本件発明」という）
　　　　　　　　　　　　　　　　　
　　　　　　　　　　　　　　　　　
第五　特許法第２９条第１項第３号または第２項違反について
１　刊行物に記載された事項
　梅原の甲第２号証(実願平５−２８６２５号(実開平６−８２２３７号)のＣＤ−ＲＯＭ)には、「軒とい継手」に関して、
　(１)「…このためには接続部分の軒といどうしを直接ではなく、接続部分に継手を介して接続する方法などが用いられていた。この継手を用いて施工するには、従来より接続する軒樋の端部を突き当てるように配設し、その接続部分を内面及び外面より継手によって被閉し、隙間にシール剤などを塗布して接続するものであった。…」(段落【０００２】)、
　(２)「…軒といＡは略Ｕ字状をした本体３の上端には耳部３１が設けられ、さらに耳部３１の先端は下方に折曲した垂下片３２が、全長にわたって平行に形成されている。継手Ｂは外板１及び内板２より構成され、軒といＡの接続する端部どうしを上下方向から挾着して施工する。継手Ｂの外板１は軒といＡの外周面に当接して施工され、内板２は内周面に当接し、軒といＡを挾着して施工するものであるが、この時強固に挾着できる構造となっている。…一方軒といＡの内周面に沿って当接する形状に折曲された内板２は、底板２１側板２２により略Ｕ字状に形成され、後ろ側の側板２２の上端には軒といＡの耳部に内嵌する嵌入部２３が形成されている。…このように外板１及び内板２より構成される継手Ｂを軒といの接続部分の外周面側と内周面側より挟み付けるようにして接続施工するものである。【０００８】施工する際には、所定の長さに切断した軒といＡを軒先に取り付けて端部どうしを突き当て、この接続部分に内板２を軒といＡの内周面に沿って取り付けるが、後ろ側の外方に突出した嵌入部２３を軒といの耳部３１の内側に嵌合させて固定する。…」(段落【０００７】〜【０００８】)、
　(３)「…すなわち軒といを外板と内板とで挾み付け、内板の傾斜部分に軒といの耳部を摺動させて固定するため、内板を軒といに押さえつけるように押圧するため隙間の発生が少なく、接続強度も増加するものである。…」(段落【００１０】)、等の記載がある。
　(４)図１、５、６には、内板２の後ろ側の側板２２の嵌入部２３の上端に前方に向けて水平方向に突出する突縁が示されている。
　　　　　　
　これらを含む明細書全体の記載および図面によれば、梅原の甲第２号証には、次の発明が記載されているものと認める。かっこ内は、対応する梅原の甲第２号証における構成・用語である。
「一対の軒樋(軒といＡ)の長手方向の端部同士を対向させ、軒樋(軒といＡ)の端部の外面側(外周面)に外継手(外板１)を被嵌すると共に端部間の内面(内周面)に沿って内押さえ(内板２)を嵌合して外継手(外板１)と内押さえ(内板２)とで軒樋(軒といＡ)を挟持して(挟み付けて)軒樋(軒といＡ)を接続する軒樋接続構造において、
　軒樋(軒といＡ)の後壁の上端の後部耳部(後ろ側の耳部３１)を外方に突出する外耳構造とすると共に後部耳部(後ろ側の耳部３１)の上板(嵌入部２３の上部)の下面に凹部(後ろ側の垂下片３２により形成される凹部)を設け、
　さらに後押さえ片(後ろ側の側板２２)の上端に前方に向けて水平方向に突出する突縁を設けた内押さえ(内板２)を用いて、前記後部耳部(後ろ側の耳部３１)の凹部(垂下片３２により形成される凹部)に該突縁を係合(内嵌)させて成る軒樋接続構造。」
　　　　　　　　　　　　　　　　
　同じく、梅原の甲第１号証(特開平３−１５１４５０号公報)には、「樋継手」に関して  
　(５)「本発明は、軒樋の接続に用いられる樋継手であって、その中でも軒樋の内側に設けられる内側継手に関する。」(１頁左下欄１３〜１５行)、
　(６)「これらの図面に示すように、前記軒樋２は、前側壁２１２の上端に前耳２２が形成され、後側壁２１３の上端に後耳２３が形成されている。そして、前記前耳２２及び後耳２３の各内側面に溝２４，２５が形成されており、前耳２２の溝２４は、開口部上縁に下向きの係止片２４１が形成されており、後耳２３の溝２５は、上面が奥に向けて上る傾斜面に形成されている。
　前記樋継手１は、溝形部１１の外面を前記軒樋２の樋本体部２１の内面に沿わせ、かつ前耳係止部１２を前記前耳２２の溝２４に挿入させると共に、後耳係止部１３を前記後耳２３の溝２５に挿入させている。
　このように、本実施例の樋継手１は、前耳２２と後耳２３の各内側面に溝２４，２５が形成されている軒樋２に対し、前耳係止部１２及び後耳係止部１３をそれぞれ前耳２２の溝２４と後耳２３の溝２５に挿入させることによって、溝形部１１が樋本体部２１の内面から浮き上がらないようにできるし、かつ、両耳係止部１２，１３が両耳２２，２３の外側に表われないようにできる。…」(２頁左下欄１行〜右下欄１行)、
　(７)「…第５図に示すように、後耳２３ｂの下半部で溝２５ｂが形成されている軒樋であってもよいし、…」(２頁右下欄１５〜１７行)、等の記載がある。
　　　　　　　　　　　　　　　　
　同じく、梅原の甲第３号証(特開平４−２６１９５２号公報)には、「軒樋支持装置」に関して、
　(８)図５には、軒樋１の後壁部２の上端の耳部８を内方に突出する内耳構造が示されている。
　　　　　　　　　　　　　　　　
　また、東洋化学の甲第２号証(東洋化学株式会社のパンフレット「Ｌu Ｃhic (ル・シック)」、Ｍ−１２１８ Ｈ７.２ ＭＡＣＢＹ、１７，２０頁)には、図面から見て、
　(９)「一対の軒といの長手方向の端部同士を対向させ、軒といの端部の外面側にソケツトを被嵌すると共に端部間の内面に沿って内カバーを嵌合してソケットと内カバーとで軒といを挟持して軒といを接続する軒とい接続構造において、
　軒といの後壁の上端の後部耳部を内方に突出する内耳構造とすると共に後部耳部の下面の後部側に上方に凹没する係止溝部を設け、
　さらに内カバーの上端を、係止溝部に係合させて成る軒樋接続構造」らしきものが示されている。
　　　　　　　　　　　　　　　
　なお、東洋化学の甲第３、４号証は、甲第２号証が、本件出願前に頒布された刊行物であることを証明しようとするものである。
　　　　　
２　対比・判断
　本件発明と梅原の甲第２号証に記載された発明を対比すると、両者は
「一対の軒樋の長手方向の端部同士を対向させ、軒樋の端部の外面側に外継手を被嵌すると共に端部間の内面に沿って内押さえを嵌合して外継手と内押さえとで軒樋を挟持して軒樋を接続する軒樋接続構造において、
　軒樋の後壁の上端の後部耳部を突出する耳構造とすると共に後部耳部に凹部を設け、
　さらに後押さえ片の上端に前方に向けて水平方向に突出する突縁を設けた内押さえを用いて、前記後部耳部の凹部に該突縁を係合させて成る軒樋接続構造。」
である点において一致し、次の点で相違している。
　Ａ：軒樋の後壁の上端の後部耳部を突出する耳構造とするにあたり、本件発明は、軒樋の後壁の上端の後部耳部を内方に突出する内耳構造とするのに対して、梅原の甲第２号証に記載された発明は、軒樋の後壁の上端の後部耳部を外方に突出する外耳構造とする点。
　Ｂ：後部耳部に凹部を設けるにあたり、本件発明は、後部耳部の下面の後部側に上方に凹没する凹部を設け、上記凹部に向けて徐々に上に行く傾斜面を設けるのに対して、梅原の甲第２号証に記載された発明は、後部耳部の上板の下面に凹部を設ける点。
　Ｃ：後部耳部の凹部に突縁を係合させて成るにあたり、本件発明は、後部耳部の下面の傾斜面に弾性変形する突縁を圧接するようにして凹部に係合させて成るのに対して、梅原の甲第２号証に記載された発明は、そのような事項を具備していない点。
　　　　　
　そこで、まず上記相違点Ｃについて検討する。
　前記梅原の甲第１、３号証及び東洋化学の甲第２号証の記載事項をみても、いずれにも、上記相違点Ｃに係る本件発明の事項は記載されていない。
　そして、本件発明は上記相違点に係る事項を具備することにより、梅原の甲第１〜３号証及び東洋化学の甲第２号証に記載された発明からは期待できない「軒樋の後部耳部の下面に下面の前端側から上記凹部に向けて徐々に上に行く傾斜面を設けているので、傾斜面にてガイドして後押さえ片の上端をスムーズに係合できるものである。また、内押さえの後押さえ片の上端に前方に向けて水平方向に突出する突縁を設けているので、突縁の先端を傾斜面に圧接するように後押さえ片の上端を凹部に係合することで、軒樋の後壁の高さに寸法ばらつきがあっても突縁の弾性変形で吸収することができて内押さえを所定の状態で取り付けることができるものである。」(訂正後の段落【００１４】参照)という特有の効果を奏するものと認める。
　したがって、他の相違点について検討するまでもなく、本件発明は上記相違点Ｃに係る事項を具備することにより、梅原の甲第１〜３号証及び東洋化学の甲第２号証に記載された各発明と同一であるとすることも、これらの発明に基づいて当業者が容易に発明できたものであるとすることもできない。
　　　　　　　　
　　　　　　　　　
第六　特許法第２９条の２違反に関して
１　先願発明
　当審が通知した取消理由において引用した刊行物である、東洋化学の甲第１号証(特願平６−２４７２８２号の願書に最初に添付した明細書及び図面(特開平８−８６０６０号公報)、以下、「先願明細書等」という)には、「軒樋接続構造」に関して、
　(１０)「【請求項１】縦断面ほぼＵ字状に形成され長手方向に沿う両端部のそれぞれに前耳部(６)と後耳部(７)を有する軒樋(Ｎ)の端部同士を内カバー(１)と外カバー(４)で内側と外側から挟みつけて接続する軒樋接続構造において、上記内カバー(１)が上記前耳部(６)を包持する包持部(２)を備え、上記後耳部(７)と上記内カバー(１)の建屋側先端に互いに係合する係合部材(８、３)を設けたことを特徴とする軒樋接続構造。【請求項２】上記係合部材(８、３)が互いに係合する係合突片であることを特徴とする請求項１の軒樋接続構造。」(特許請求の範囲)、
　(１１)「本発明は連接対象となる軒樋の接続部を外側継手と内側継手とで挟着固定した軒樋接続構造に関する。」(段落【０００１】)、
　(１２)「また、後耳部と内カバーの建屋側先端に互いに係合する上記係合部材は、両者を互いに係合させるものであれば適宜選択して使用できるものであるが、例えば、互いに係合する係合突片同士、係合突片と係合凹部、互いに嵌合し合う係合凹部同士などがあるが、…」(段落【００１０】)、
　(１３)「また、本発明で使用される軒樋は、前壁部と後壁部の双方の先端に前耳部と後耳部をそれぞれ備えたものであれば、他の部分の形状はいずれの形状であっても良く、…」(段落【００１５】)、
　(１４)「…上記後耳部７と上記内カバー１の建屋側先端は互いに係合する係合部材としての係合突片８、３が設けられ、…」(段落【００１８】)、等の記載がある。
　(１５)図２には、後耳部７を内方に突出する内耳構造としたものが示されている。
　　　　　　　
　これらを含む先願明細書等全体の記載によれば、軒樋Ｎの後壁部の上端の後耳部７は内方に突出させたものであり、内耳構造としたものであるといえるから、先願明細書等には、次の発明が記載されているものと認める。かっこ内は対応する先願明細書における構成・用語である。
「一対の軒樋(軒樋Ｎ)の長手方向の端部同士を対向させ、軒樋(軒樋Ｎ)の端部の外面側に外継手(外カバー４)を被嵌すると共に端部間の内面に沿って内押さえ(内カバー１)を嵌合して外継手(外カバー４)と内押さえ(内カバー１)とで軒樋(軒樋Ｎ)を挟持して軒樋(軒樋Ｎ)を接続する軒樋接続構造において、
　軒樋(軒樋Ｎ)の後壁(後壁部)の上端の後部耳部(後耳部７)を内方に突出する内耳構造とすると共に後部耳部(後耳部７)の下面の後部側に上方に凹没する凹部(係合凹部)を設け、
　さらに内押さえ(内カバー１)の上端(係合突片３)を凹部(係合凹部)に係合させて成る軒樋接続構造。」(以下、「先願発明」という)
　　　　　　　　　                    
２．対比・判断
　本件発明と先願発明とを比較すると、両者は、
「一対の軒樋の長手方向の端部同士を対向させ、軒樋の端部の外面側に外継手を被嵌すると共に端部間の内面に沿って内押さえを嵌合して外継手と内押さえとで軒樋を挟持して軒樋を接続する軒樋接続構造において、
　軒樋の後壁の上端の後部耳部を内方に突出する内耳構造とすると共に後部耳部の下面の後部側に上方に凹没する凹部を設け、
　さらに内押さえの上端を凹部に係合させて成る軒樋接続構造。」である点で一致するほかは相違している。
　したがって、本件発明は、先願発明と同一であるとすることができない。
　　　　　　　　　　　　　
　　　　　　　　　　　　　
第七　特許法第３６条第６項第２号違反について
　異議申立人梅原真理子の主張は、概略、
「エ．記載不備の理由　請求項３に係る発明は、「内押さえの後押さえ片の上端に前方に向けて水平方向に突出する突縁を設けて成ることを特徴とする請求項２記載の軒樋接続構造」であり、…しかしながら、この突縁は、あまりに短いと傾斜面に係合せず、あまりに長いと凹部自体に挿入できなくなり、いずれにしても、突縁の弾性変形を生かすことはできない。したがって、特許査定時の請求項３の記載では、特許を受けようとする発明が明確であるとは言い難い。」(同人の異議申立書７頁)というものである。
　　　　　　　　　　　　
　訂正により、請求項３は削除されたが、訂正後の請求項１に、異議申立人が指摘するものとほぼ同じ記載が加えられたので、引き続き検討する。
　訂正後の請求項１には、「突縁」について「後部耳部の下面の傾斜面に該突縁を圧接するようにして凹部に係合させて成る」ことが明記されており、特許を受けようとする発明は明確である。
　　　　　　　　　　　
　　　　　　　　　　　
第八　むすび
　以上のとおり、異議申立ての理由及び証拠によっては、本件発明に係る特許を取り消すことはできない。
　また、他に本件発明に係る特許を取り消すべき理由を発見しない。
　よって、結論のとおり決定する。
【異議決定日】
平成１５年１月３０日（２００３．１．３０）
【訂正の要旨】
訂正事項
　ａ．特許第３２３４４７４号発明の明細書中特許請求の範囲の請求項１、２、３である
　「【請求項１】　一対の軒樋の長手方向の端部同士を対向させ、軒樋の端部の外面側に外継手を被嵌すると共に端部間の内面に沿って内押さえを嵌合して外継手と内押さえとで軒樋を挟持して軒樋を接続する軒樋接続構造において、軒樋の後壁の上端の後部耳部を内方に突出する内耳構造とすると共に後部耳部の下面の後部側に上方に凹没する凹部を設け、軒樋の内面に沿わせた内押さえの後押さえ片の上端を凹部に係合させて成ることを特徴とする軒樋接続構造。
　【請求項２】　軒樋の後部耳部の下面に下面の前端側から上記凹部に向けて徐々に上に行く傾斜面を設けて成ることを特徴とする請求項１記載の軒樋接続構造。
　【請求項３】　内押さえの後押さえ片の上端に前方に向けて水平方向に突出する突縁を設けて成ることを特徴とする請求項２記載の軒樋接続構造。」
を
　「【請求項１】　一対の軒樋の長手方向の端部同士を対向させ、軒樋の端部の外面側に外継手を被嵌すると共に端部間の内面に沿って内押さえを嵌合して外継手と内押さえとで軒樋を挟持して軒樋を接続する軒樋接続構造において、軒樋の後壁の上端の後部耳部を内方に突出する内耳構造とすると共に後部耳部の下面の後部側に上方に凹没する凹部を設け、
上記凹部に向けて徐々に上に行く傾斜面を設け
に前方に向けて水平方向に突出し弾性変形する突縁を設けた内押さえを用いて、前記後部耳部の下面の傾斜面に該突縁を圧接するようにして
と訂正する。
　ｂ．特許第３２３４４７４号発明の明細書段落【００１４】を、
「【００１４】また本発明の
請求項１
と訂正する。
　Ｃ．特許第３２３４４７４号発明の明細書段落【図面の簡単な説明】中の【符号の説明】を、
「【符号の説明】
１　軒樋
５　外継手
１３　後部耳部
２８　内押さえ
３１　
後
３５　凹部
３６　傾斜面
３７　突縁」
と訂正する。
（５４）【発明の名称】
軒樋接続構造
（５７）【特許請求の範囲】
　【請求項１】　一対の軒樋の長手方向の端部同士を対向させ、軒樋の端部の外面側に外継手を被嵌すると共に端部間の内面に沿って内押さえを嵌合して外継手と内押さえとで軒樋を挟持して軒樋を接続する軒樋接続構造において、軒樋の後壁の上端の後部耳部を内方に突出する内耳構造とすると共に後部耳部の下面の後部側に上方に凹没する凹部を設け、
上記凹部に向けて徐々に上に行く傾斜面を設け
に前方に向けて水平方向に突出し弾性変形する突縁を設けた内押さえを用いて、前記後部耳部の下面の傾斜面に該突縁を圧接するようにして
【発明の詳細な説明】
　【０００１】
　【発明の属する技術分野】本発明は、外継手と内押さえとで軒樋の端部間を挟持して軒樋を接続する軒樋接続構造に関するものである。
　【０００２】
　【従来の技術】近年、一対の軒樋の長手方向の端部同士を対向させ、軒樋の端部の外面側に外継手を被嵌すると共に端部間の内面に沿って内押さえを嵌合して外継手と内押さえとで軒樋を挟持して軒樋を接続することが広く行われている。その具体的な従来例としては実開平４−１１９０３５号公報、実開平５−８５９６号公報等に開示されるものがある。
　【０００３】
　【発明が解決しようとする課題】ところが、上記従来例にあっては、軒樋の後壁の上端に設けた後部耳部は外方に突出する外耳構造であり、外継手の上端の略コ字状の耳嵌合部を後部耳部に被嵌してあり、軒樋の内面に沿わせた内押さえの後押さえ片の上端を耳嵌合部の係止突起等に係止してある。しかし、略コ字状の耳嵌合部の上片は弾性変形しやすく、内押さえ片の上端と係止突起等との係止では係止が外れやすく、内押さえが外れやすいという問題がある。
　【０００４】本発明は叙述の点に鑑みてなされたものであって、内押さえの後押さえ片の上端の係合が外れることなく、内押さえが外れないように確実に取り付けることを課題とする。
　【０００５】
　【課題を解決するための手段】上記課題を解決するため、本発明軒樋接続構造は、一対の軒樋１の長手方向の端部同士を対向させ、軒樋１の端部の外面側に外継手５を被嵌すると共に端部間の内面に沿って内押さえ２８を嵌合して外継手５と内押さえ２８とで軒樋１を挟持して軒樋１を接続する軒樋接続構造において、軒樋１の後壁８の上端の後部耳部１３を内方に突出する内耳構造とすると共に後部耳部１３の下面の後部側に上方に凹没する凹部３５を設け、軒樋１の内面に沿わせた内押さえ２８の後押さえ片３１の上端を凹部３５に係合させて成ることを特徴とする。この場合、内耳構造の後部耳部１３の下面の凹部３５に内押さえ２８の後押さえ片３１の上端が係合することで後押さえ片３１の上端が外れにくくなり、内押さえ２８が外れないようになった。
　【０００６】また軒樋１の後部耳部１３の下面に下面の前端側から上記凹部３５に向けて徐々に上に行く傾斜面３６を設けて成ることを特徴とすることも好ましい。この場合、傾斜面３６にてガイドして後押さえ片３１の上端をスムーズに係合できる。また内押さえ２８の後押さえ片３１の上端に前方に向けて水平方向に突出する突縁３７を設けて成ることを特徴とすることも好ましい。この場合、突縁３７の先端を傾斜面３６に圧接するように後押さえ片３１の上端を凹部３５に係合することで、軒樋１の後壁８の高さに寸法ばらつきがあっても突縁３７の弾性変形で吸収することができて内押さえ２８を所定の状態で取り付けることができる。
　【０００７】
　【発明の実施の形態】軒樋１は前壁２と後壁８と底壁９とを有する図５に示すような断面形状であって、鋼板のような金属板の両面に合成樹脂を被覆して形成されている。前壁２は上部の上部前壁部２ａと下部の下部前壁部２ｂとで形成されており、下部前壁部２ｂは上部に行く程前方に行くように傾斜しており、上部前壁部２ａは上部に行く程後方に行くように傾斜している。上部前壁部２ａの上端から斜め下方に連出片１０を連出してあり、連出片１０の先端に前部耳部１１を長手方向に亙るように設けてあり、前部耳部１１には係止段部２４を設けてある。上部前壁部２ａと下部前壁部２ｂとの間には内方に向けて斜め下方に凹没するように排水溝３を長手方向に亙って設けてあり、下部前壁部２ｂの下端から下方に突出するように水切り突起１２を垂下してある。後壁８の上端には後部耳部１３を設けてあり、後部耳部１３の上面には係止段部１４を設けてある。また軒樋１の前部耳部１１及び後部耳部１３は内方に突出する内耳構造となっている。後部耳部１３の下面の後部には上方に凹没する凹部３５を設けてあり、後部耳部１３の下面の前端から凹部３５に向けて徐々に高さの高くなる傾斜面３６を設けてある。
　【０００８】また継手５は図２、図３、図４、図６に示すように軒樋１の外面に沿う形状に形成されている。この外継手５は前壁１５、後壁１６及び底壁１７を有するものであって、鋼板のような金属板の両面に合成樹脂を被覆して形成されている。前壁１５は上に行く程後方に向けて傾斜せる上部前壁部１５ａと上に行く程前方に向けて傾斜せる下部前壁部１５ｂとで構成されており、上部前壁部１５ａと下部前壁部１５ｂとの間には内方に向けて凹没する凹溝部７を外継手５の幅方向に亙って凹設してある。上部前壁部１５ａの上端から内方に向けて前部耳押さえ片１８を連出してあり、前部耳押さえ片１８には係止段部２４に係止し得る被係止段部２５を設けてあり、前部耳押さえ片１８の先端には係止突起１９を突設してある。前壁１５の下端と底壁１７の前端との間の内隅には水切り突起１２が収まる凹部２０を凹設してある。後壁１６の上端から内方に向けて後部耳押さえ片２１を突設してあり、後部耳押さえ片２１の先端に後部耳部１３の係止段部１４に係止する係止突起２２を突設してある。前壁１５及び後壁１６の内面の幅方向の中央からセパレータ突起２６，２７を突設してある。
　【０００９】軒樋１を外継手５で接続するとき内側を押さえる内押さえ２８は図７に示す形状に形成されている。この内押さえ２８は前押さえ片２９と底押さえ片３０と後押さえ片３１とで主体が構成されており、底押さえ片３０と後押さえ片３１は軒樋１の後壁８と底壁９に沿う形状に形成されている。前押さえ片２９の下端から軒樋１の下部前壁部２ｂの内面に沿う前下部押さえ片３２を上方に向けて一体に連出してあり、前押さえ片２９の上部に操作片３３を設けてある。後押さえ片３９の上端には前方に向けて水平方向に突出する突縁３７を突設してある。
　【００１０】しかして上記のように構成せる軒樋１を上記のような外継手５や内押さえ２８で接続するにあたっては次のように行う。一対の軒樋１の端部間の外面に外継手５を沿わせて外継手５を被嵌するのであるが、後部耳押さえ片２１がわを軒樋１の後部耳部１３に先に被嵌し、この状態から前部耳押さえ片１８を上方に回動し、前部耳押さえ片１８を前部耳部１１に嵌合するように外継手５を嵌合する。外継手５を一対の軒樋１の外面に被嵌した状態では外継手５の前壁１５、後壁１６、底壁１７が軒樋１の前壁２、後壁８、底壁９の外面に沿い、後部耳押さえ片２１が軒樋１の後部耳部１３の上面に沿うと共に係止突起２２が係止段部１４に係止し、水切り突起１２が凹部２０に嵌合し、排水溝３に凹溝部７が嵌合し、前部耳押さえ片１８が前部耳部１１の上面に沿うと共に係止段部２４に被係止段部２５が係止する。また一対の軒樋１の端部の外面に外継手５を被嵌するとき、一対の軒樋５の端面間にセパレータ突起２６，２７が挟まれて一対の軒樋１の端面間が所定の間隔を隔てるように分離され、軒樋１の排水溝３の長手方向の端部の開口６が外継手１内に開放される。このように外継手５で一対の軒樋１を接続するとき、必要に応じて接着剤が塗布され、接着剤にて接着される。軒樋１の外面に外継手５を被嵌した状態で一対の軒樋の１の内面側に内押さえ２８を嵌合して内側が押さえられる。内押さえ２８を装着するときには内押さえ２８の後押さえ片３１の上端を後部耳部１３の下面の凹部３５に係合した状態で操作片３３を持って内押さえ２８の前側を下方に回動することで装着される。内押さえ２８を装着した状態で、後押さえ片３１の上端が後部耳部１３の凹部３５に係合されると共に後押さえ片３１が軒樋１の後壁８の内面に沿わせられ、底押さえ片３０が軒樋１の底壁９に沿わせられ、前部下部押さえ片３２が軒樋１の下部前壁部２ｂの内面に沿わせられ、前押さえ片２９の上端が係止突起１９に係止される。内押さえ２８の後押さえ片３１の上端を凹部３５に係合するとき傾斜面３６があるのでスムーズに係合される。またこのとき後押さえ片３１の上端に突縁３７があるため、後押さえ片３１の上端を凹部３５に係合したとき、突縁３７が傾斜面３６に圧接されるようになり、軒樋１の後壁８の高さＬ（図１に示す）に寸法ばらつきがあっても突縁３７の弾性変形で吸収することができて内押さえ２８を所定の状態で取り付けることができる。
　【００１１】上記のようにして軒樋１が外継手５と内押さえ２８にて接続され、軒樋１の排水溝３が外継手５部分でも凹溝部７で連続する外観となり、軒樋１と外継手５とが一体感のある外観となる。また降雨時に軒樋１の前壁２の上部前壁部２ａの上に落ちた雨水は排水溝３に流れ込んで雨水が排水溝３に受けられ、排水溝３の長手方向に流れ、排水溝３の長手方向の端部で開口６から外継手５の前壁１５と内押さえ２８の前押さえ片２９との間に流れ込み、この部分から軒樋１内に流れ込む。
　【００１２】軒樋吊り具３８は図８に示すように吊り具本体３９の基端に一体に略垂直な取り付け板４０を設けてあり、全体を合成樹脂にて形成してある。吊り具本体３９の前端である先端部から垂直方向に軒樋ガイド片４１を延設してあり、吊り具本体３９の前端の上部には前耳嵌合部４２を設けてあり、軒樋ガイド片４１の前面には受部４５を突設してある。吊り具本体４の後端側である基部側の下部には後耳受部４３を設けてあり、取り付け板４０には後耳受部４３に対応するように抜け止め用のバネ片４４を設けてある。取り付け板４０には取り付け板４０貫通するように挿通孔を穿孔してある。この軒樋吊り具３８は図９に示すように家屋４６の軒先の被取り付け面４７に沿って取り付け板４０を配置し、ねじ具、釘等の固着具を挿通孔から被取り付け面４７に打入して取り付け板４０を取り付けることで軒先に取り付けられる。また軒樋１は軒先に沿って配置し、軒樋吊り具３８の軒樋ガイド片４１を軒樋１の前壁２の内面に沿わせ、軒樋ガイド片４１の受部４５で排水溝３を受け、前部耳部１１の手前の凹部に前耳嵌合部４２を嵌合すると共に後部耳部１３の下面に後耳受部４３を係止させて軒樋１が吊られる。後耳受部４３で後部耳部１３の下面を支持するとき、図１０に示すように傾斜せる後耳受部４３を傾斜面３６に沿わせることができ、後耳受部４３の係止が外れないように確実に吊り下げることができる。
　【００１３】
　【発明の効果】本発明は叙述のように軒樋の後壁の上端の後部耳部を内方に突出する内耳構造とすると共に後部耳部の下面の後部側に上方に凹没する凹部を設け、軒樋の内面に沿わせた内押さえの後押さえ片の上端を凹部に係合させているので、内耳構造の後部耳部の下面の凹部に内押さえの後押さえ片の上端が係合することで後押さえ片の上端が外れにくくなり、内押さえが外れないようになるものである。
　【００１４】また本発明の
請求項１
【図面の簡単な説明】
　【図１】本発明軒樋接続構造の一例の後部耳部付近の断面図である。
　【図２】同上の全体の分解斜視図である。
　【図３】同上の外継手と内押さえでの接続の途中を示す斜視図である。
　【図４】同上の軒樋の接続部分の一部省略断面図である。
　【図５】同上の軒樋の断面図である。
　【図６】同上の外継手を示し、（ａ）は一部切欠平面図、（ｂ）は正面図、（ｃ）は（ｂ）のＸ−Ｘ線断面図である。
　【図７】同上の内押さえを示し、（ａ）は平面図、（ｂ）は正面図、（ｃ）は一部切欠側面図である。
　【図８】同上の軒樋吊り具を示し、（ａ）は平面図、（ｂ）は正面図、（ｃ）は底面図である。
　【図９】同上の軒樋を軒先に取り付けた状態の断面図である。
　【図１０】同上の軒樋の後部耳部を吊る部分を説明する断面図である。
　【符号の説明】
　１　軒樋
　５　外継手
　１３　後部耳部
　２８　内押さえ
　３１　
後
　３５　凹部
　３６　傾斜面
　３７　突縁